(57)【要約】【課題】  ページ単位及び見開きページ単位のページデータより構成される冊子データから複数の小冊子データを作成し、かつ冊子データに見開きページが含まれる場合には当該見開きページを単一の紙面に出力する技術を提供する。【解決手段】  ページ単位及び見開きページ単位のページデータより構成される冊子データに基づき、ページデータが小冊子の最内側紙面に出力されるようにページデータをページ番号順に区分し、同一区分のページデータで一小冊子を形成するように同一紙面上に並ぶページデータを対にして紙面データを作成する。この処理により、区分毎の小冊子データを得る。【選択図】      図３
2006205642.tif 000002
【特許請求の範囲】
【請求項１】
小冊子に対応する小冊子データを作成する小冊子データ作成方法であって、
ページ単位及び見開きページ単位のページデータより構成される冊子データに基づき、ページデータをページ番号順に小冊子単位に区分する区分工程と、
同一区分のページデータで一小冊子を形成するように同一紙面上に並ぶページデータを対にして、区分毎の小冊子データを得る小冊子データ取得工程と、
を含み、
前記区分工程では、
見開きページ単位のページデータが小冊子の最内側紙面に出力されるようにページデータを区分すること、
を特徴とする小冊子作成方法。
【請求項２】
前記区分工程では、
見開きページ単位のページデータを含む区分を、
見開きページ単位のページデータと、当該見開きページ単位のページデータより前のページデータからなる第一のページデータ群と、当該見開きページ単位のページデータより後のページデータからなる第二のページデータ群と、を含み、かつ前記第一のページデータ群のページ数と前記第二のページデータ群のページ数が、同数となるように区分すること、
を特徴とする請求項１記載の小冊子作成方法。
【請求項３】
前記区分工程では、
前記第二のページデータ群に別の見開きページ単位のページデータが含まれなくなるまで、前記第一のページデータ群と前記第二のページデータ群から４の倍数のページ分のページデータを除外すること、
を特徴とする請求項２記載の小冊子作成方法。
【請求項４】
前記区分工程では、
前記除外されたページデータを同一区分となるように区分すること、
を特徴とする請求項３記載の小冊子作成方法。
【請求項５】
前記区分工程では、
見開きページ単位のページデータが含まれていない区分について、所定ページ数からなるように区分すること、
を特徴とする請求項１記載の小冊子作成方法。
【請求項６】
前記所定ページ数を設定する設定工程をさらに含むこと、
を特徴とする請求項５記載の小冊子作成方法。
【請求項７】
小冊子に対応する小冊子データから印刷物を作成し、前記印刷物を小冊子化する印刷システムであって、
ページ単位及び見開きページ単位のページデータより構成される冊子データに基づき、ページデータをページ番号順に小冊子単位で区分し、同一区分のページデータで一小冊子を形成するように同一紙面上に並ぶページデータを対にして、区分毎の小冊子データを得る小冊子データ作成手段と、
前記区分毎の小冊子データに基づいて、小冊子形式の印刷物を出力する出力手段と、
前記印刷物を小冊子データ毎に中折り・中綴じして複数の小冊子に製本する製本手段と、
を備え、
前記小冊子データ作成手段は、見開きページ単位のページデータが小冊子の最内側紙面に出力されるようにページデータを区分すること、
を特徴とする印刷システム。
【請求項８】
前記小冊子データ作成手段は、
見開きページ単位のページデータを含む区分を、
見開きページ単位のページデータと、当該見開きページ単位のページデータより前のページデータからなる第一のページデータ群と、当該見開きページ単位のページデータより後のページデータからなる第二のページデータ群と、を含み、かつ前記第一のページデータ群のページ数と前記第二のページデータ群のページ数が、同数となるように区分すること、
を特徴とする請求項７記載の印刷システム。
【請求項９】
前記小冊子データ作成手段は、
前記第二のページデータ群に別の見開きページ単位のページデータが含まれなくなるまで、前記第一のページデータ群と前記第二のページデータ群から４の倍数のページ分のページデータを除外すること、
を特徴とする請求項８記載の印刷システム。
【請求項１０】
前記小冊子データ作成手段は、
前記除外されたページデータを同一区分となるように区分すること、
を特徴とする請求項９記載の印刷システム。
【請求項１１】
前記小冊子データ作成手段は、
見開きページ単位のページデータが含まれていない区分について、所定ページ数からなるように区分すること、
を特徴とする請求項７記載の印刷システム。
【請求項１２】
前記所定ページ数を設定する小冊子単位設定手段を更に備えること、
を特徴とする請求項１１記載の印刷システム。
【請求項１３】
小冊子に対応する小冊子データを作成し、出力手段に前記小冊子データに基づく印刷物を出力させ、製本手段に前記印刷物を小冊子化させる印刷制御装置であって、
ページ単位及び見開きページ単位のページデータより構成される冊子データに基づき、ページデータをページ番号順に小冊子単位で区分し、同一区分のページデータで一小冊子を形成するように同一紙面上に並ぶページデータを対にして、区分毎の小冊子データを得る小冊子データ作成手段を備え、
前記小冊子データ作成手段は、見開きページ単位のページデータが小冊子の最内側紙面に出力されるようにページデータを区分すること、
を特徴とする印刷制御装置。
【請求項１４】
前記小冊子データ作成手段は、
見開きページ単位のページデータを含む区分を、
見開きページ単位のページデータと、当該見開きページ単位のページデータより前のページデータからなる第一のページデータ群と、当該見開きページ単位のページデータより後のページデータからなる第二のページデータ群と、を含み、かつ前記第一のページデータ群のページ数と前記第二のページデータ群のページ数が、同数となるように区分すること、
を特徴とする請求項１３記載の印刷制御装置。
【請求項１５】
前記小冊子データ作成手段は、
前記第二のページデータ群に別の見開きページ単位のページデータが含まれなくなるまで、前記第一のページデータ群と前記第二のページデータ群から４の倍数のページ分のページデータを除外すること、
を特徴とする請求項１４記載の印刷制御装置。
【請求項１６】
前記小冊子データ作成手段は、
前記除外されたページデータを同一区分となるように区分すること、
を特徴とする請求項１５記載の印刷制御装置。
【請求項１７】
前記小冊子データ作成手段は、
見開きページ単位のページデータが含まれていない区分について、所定ページ数からなるように区分すること、
を特徴とする請求項１３記載の印刷制御装置。
【請求項１８】
前記所定ページ数を設定する小冊子単位設定手段を更に備えること、
を特徴とする請求項１７記載の印刷制御装置。
【請求項１９】
ページ単位及び見開きページ単位のページデータより構成される冊子データを格納するコンピュータに、
前記冊子データに基づき、ページデータをページ番号順に小冊子単位で区分する区分手順と、
同一区分のページデータで一小冊子を形成するように同一紙面上に並ぶページデータを対にして、区分毎の小冊子データを得る小冊子データ取得手順と、
を実行させ、
前記区分手順では、見開きページ単位のページデータが小冊子の最内側紙面に出力されるようにページデータの区分を実行させること、
を特徴とする小冊子データ作成プログラム。
【請求項２０】
前記区分手順では、
見開きページ単位のページデータを含む区分を、
見開きページ単位のページデータと、当該見開きページ単位のページデータより前のページデータからなる第一のページデータ群と、当該見開きページ単位のページデータより後のページデータからなる第二のページデータ群と、を含み、かつ前記第一のページデータ群のページ数と前記第二のページデータ群のページ数が、同数となる区分を実行させること、
を特徴とする請求項１９記載の小冊子データ作成プログラム。
【請求項２１】
前記区分手順では、
前記第二のページデータ群に別の見開きページ単位のページデータが含まれなくなるまで、前記第一のページデータ群と前記第二のページデータ群から４の倍数のページ分のページデータの除外を実行させること、
を特徴とする請求項２０記載の小冊子データ作成プログラム。
【請求項２２】
前記区分手順では、
前記除外されたページデータの同一区分への区分を実行させること、
を特徴とする請求項２１記載の小冊子データ作成プログラム。
【請求項２３】
前記区分手順では、
見開きページ単位のページデータが含まれていない区分について、所定ページ数からなる区分を実行させること、
を特徴とする請求項１９記載の小冊子データ作成プログラム。
【請求項２４】
前記所定ページ数を設定する設定手順をさらに実行させること、
を特徴とする請求項２３記載の小冊子データ作成プログラム。
【発明の詳細な説明】
【技術分野】
【０００１】
この発明は、小冊子に対応する小冊子データを作成する小冊子データ作成技術に関し、特にページ単位及び見開きページ単位のページデータより構成される冊子データから複数の小冊子データを作成する技術に関する。
【背景技術】
【０００２】
近年では、ＤＴＰ（Ｄｅｓｋ  Ｔｏｐ  Ｐｕｂｌｉｓｈｉｎｇ）等の普及により、印刷発注者が自身の端末において、スキャナから入力した画像をコンピュータのソフトウェア上で画像編集し、フルディジタルで最終印刷物を直接記録用紙に出力することが行われるようになった。またこのフルディジタル化に伴って、小ロットの印刷物製作やＰＯＤ（Ｐｒｉｎｔ  Ｏｎ  Ｄｅｍａｎｄ）、バリアブル印刷等の用途も発展している。
【０００３】
旧来の印刷方式においては、効率的に印刷するため、記録用紙の一面に８ページや１６ページ単位でページ面付けしている。従って、旧来の印刷システムにおいては、コンピュータのソフトウェア上で、一つの出力用のデータを折り丁した際にノンブル順に並ぶように８ページや１６ページ単位でページデータを割り付ける編集を行っている。
【０００４】
ところで、小ロットの印刷物製作やＰＯＤ、バリアブル印刷等に用いるフルディジタルの印刷システムにおいて、カラーレーザプリンタ等の電子写真方式の画像出力装置が用いられるようになって来た。このような画像出力装置のコストバランスの良さと、高速化及び高品質化に伴うものである。
【０００５】
カラーレーザプリンタ等の電子写真方式の画像出力装置では、その構造上、大サイズの記録用紙への出力が難しい。そこで面付けは、中折り・中綴じ製本を前提とし、記録用紙１面に２ページ分を面付けすることが一般的である。
【０００６】
そこで、カラーレーザプリンタ等の電子写真方式の画像出力装置を備えた印刷システムでは、各ページのデータを中折り・中綴じ製本した際に同一紙面上に並ぶように並び替える再構成処理を行った上で出力を行っている（例えば、特許文献１参照。）。
【０００７】
また、カラーレーザプリンタ等の電子写真方式の画像出力装置の使用を前提として、記録用紙の厚さに応じて折りの内側と外側で断裁位置が変わるため、内側のページを外側のページよりも中寄せして配置する等の技術も発展してきている（例えば、特許文献２参照。）。
【０００８】
【特許文献１】特開平２−２８６３６３号公報
【特許文献２】特開平７−２８７４２８号公報
【発明の開示】
【発明が解決しようとする課題】
【０００９】
中折り・中綴じする製本は、カラーレーザプリンタ等の電子写真方式の画像出力装置であっても簡易に作成することが出来る。しかし、ページ数が多くなった場合、冊子の小口とのどの部分で厚さが異なってしまい、また中折りと外折りののど幅が異なり、見栄えが悪くなってしまう。
【００１０】
また、冊子によっては、見開きページが含まれている場合もある。このような冊子を一まとめに中折り・中綴じ製本すると、見開きページが異なる紙面で構成されてしまう。そうすると、見開きページ上の画像が分割され品位が低下してしまう。更には、電子写真方式の場合、安定性の問題や右ページの印刷と左ページの印刷との間にキャリブレーション処理が入ることがあり、見開きの左右ページの色味が微妙にズレるおそれがある。
【００１１】
この発明は、上述のような問題点に鑑みてなされたものであり、ページ単位及び見開きページ単位のページデータより構成される冊子データから複数の小冊子データを作成し、かつ冊子データに見開きページが含まれる場合には当該見開きページを単一の紙面に出力する技術を提供することを目的とする。
【課題を解決するための手段】
【００１２】
上記課題を解決するために、請求項１に記載の発明は、小冊子に対応する小冊子データを作成する小冊子データ作成方法であって、ページ単位及び見開きページ単位のページデータより構成される冊子データに基づき、ページデータをページ番号順に小冊子単位に区分する区分工程と、同一区分のページデータで一小冊子を形成するように同一紙面上に並ぶページデータを対にして、区分毎の小冊子データを得る小冊子データ取得工程と、を含み、前記区分工程では、見開きページ単位のページデータが小冊子の最内側紙面に出力されるようにページデータを区分すること、を特徴とする。
【００１３】
上記課題を解決するために、請求項７に記載の発明は、小冊子に対応する小冊子データから印刷物を作成し、前記印刷物を小冊子化する印刷システムであって、ページ単位及び見開きページ単位のページデータより構成される冊子データに基づき、ページデータをページ番号順に小冊子単位で区分し、同一区分のページデータで一小冊子を形成するように同一紙面上に並ぶページデータを対にして、区分毎の小冊子データを得る小冊子データ作成手段と、前記区分毎の小冊子データに基づいて、小冊子形式の印刷物を出力する出力手段と、前記印刷物を小冊子データ毎に中折り・中綴じして複数の小冊子に製本する製本手段と、を備え、前記小冊子データ作成手段は、見開きページ単位のページデータが小冊子の最内側紙面に出力されるようにページデータを区分すること、を特徴とする。
【００１４】
上記課題を解決するために、請求項１３に記載の発明は、小冊子に対応する小冊子データを作成し、出力手段に前記小冊子データに基づく印刷物を出力させ、製本手段に前記印刷物を小冊子化させる印刷制御装置であって、ページ単位及び見開きページ単位のページデータより構成される冊子データに基づき、ページデータをページ番号順に小冊子単位で区分し、同一区分のページデータで一小冊子を形成するように同一紙面上に並ぶページデータを対にして、区分毎の小冊子データを得る小冊子データ作成手段を備え、前記小冊子データ作成手段は、見開きページ単位のページデータが小冊子の最内側紙面に出力されるようにページデータを区分すること、を特徴とする。
【００１５】
上記課題を解決するために、請求項１９に記載の発明は、ページ単位及び見開きページ単位のページデータより構成される冊子データを格納するコンピュータに、前記冊子データに基づき、ページデータをページ番号順に小冊子単位で区分する区分手順と、同一区分のページデータで一小冊子を形成するように同一紙面上に並ぶページデータを対にして、区分毎の小冊子データを得る小冊子データ取得手順と、を実行させ、前記区分手順では、見開きページ単位のページデータが小冊子の最内側紙面に出力されるようにページデータの区分を実行させること、を特徴とする。
【００１６】
また、区分において、見開きページ単位のページデータを含む区分を、見開きページ単位のページデータと、当該見開きページ単位のページデータより前のページデータからなる第一のページデータ群と、当該見開きページ単位のページデータより後のページデータからなる第二のページデータ群と、を含み、かつ前記第一のページデータ群のページ数と前記第二のページデータ群のページ数が、同数となるように区分することができる（請求項２，８，１４，２０の発明に相当）。
【００１７】
また、区分において、前記第二のページデータ群に別の見開きページ単位のページデータが含まれなくなるまで、前記第一のページデータ群と前記第二のページデータ群から４の倍数のページ分のページデータを除外することができる（請求項３，９，１５，２１の発明に相当）。
【００１８】
また、区分において、前記除外されたページデータを同一区分となるように区分することができる（請求項４，１０，１６，２２の発明に相当）。
【００１９】
また、区分において、見開きページ単位のページデータが含まれていない区分について、所定ページ数からなるように区分するようにしてもよい（請求項５，１１，１７，２３の発明に相当）。
【００２０】
また、前記所定ページ数を設定するようにしてもよい（請求項６，１２，１８，２４の発明に相当）。
【発明の効果】
【００２１】
本発明は、ページ単位及び見開きページ単位のページデータより構成される冊子データに基づき、見開きページ単位のページデータが小冊子の最内側紙面に出力されるようにページデータをページ番号順に区分し、同一区分のページデータで一小冊子を形成するように同一紙面上に並ぶページデータを対にすることにより、区分毎の小冊子データを得るようにした。
【００２２】
従って、冊子データから複数の小冊子を作成でき、かつその小冊子に見開きページが含まれている場合には、当該見開きページを単一の紙面上に出力することができる。
【００２３】
よって、冊子データに基づく作成される冊子ののどと小口とで厚みが均一になり高品位な冊子作成が可能となる。また見開きページの品位を向上させることができる。
【発明を実施するための最良の形態】
【００２４】
以下、この発明の一実施形態について図１乃至図１０に基づき詳細に説明する。図１は、本実施形態に係る印刷システム１の構成図である。図１に示す印刷システム１は、クライアント端末２と、印刷制御装置３と、画像出力装置４とをＬＡＮ等のネットワークを介して接続しており、画像出力装置４の後段に製本装置５が連接されている。
【００２５】
この印刷システム１において、クライアント端末２は、冊子データが作成可能なアプリケーションが搭載されたコンピュータである。クライアント端末２で作成された冊子データは、ネットワークを介して印刷制御装置３に送出される。
【００２６】
冊子データは、ポストスクリプト等のページ記述言語で記述されており、ページ単位又は見開きページ単位毎の文字データや図形データが配置情報で規定されたページデータで構成されている。本発明において、冊子データは、クライアント端末２において意図的に小冊子に相当するページ数分のページデータのみで構成されたものではなく、複数の小冊子で構成されるべきページ数を含んでいる。例えば、小冊子単位で区別されていない装丁される冊子全ページを含むデータである。尚、全てのページデータを含んだ冊子データを作成することによるファイルサイズの大きさに起因するトラブルを回避するため、または一つの冊子データを複数の制作者が作成する場合等により、クライアント端末２からは、任意のページで分割された冊子データの一部がそれぞれ印刷制御装置３に送出されてもよく、この場合、印刷制御装置３にて一つの冊子データに結合処理してもよい。
【００２７】
冊子データが送出された印刷制御装置３は、図示しないＣＰＵ、ＲＡＭ、ＨＤＤやマンマシンインターフェースで構成されたコンピュータで構成される。この印刷制御装置３は、冊子データを分割して複数の小冊子に対応した小冊子データを作成する。すなわち、冊子データからページデータを作成し、ページデータを複数の小冊子に区分して、同一区分で一冊子を形成する小冊子データを作成する。
【００２８】
さらに印刷制御装置３は、この小冊子データを一つの印刷ジョブとして画像出力装置４に送出し、画像出力装置４と製本装置５を制御して、印刷物を作成させ、また中綴じ・中折り製本を行わせる。
【００２９】
小冊子データは、冊子データに対応する冊子を所定ページ数毎に区分して区分毎に小冊子化した場合の、小冊子単位のデータであり、一つの小冊子を構成する各紙面データで構成されている。紙面データは、小冊子において紙面に描画される画像に対応したものであり、小冊子に分割した場合に同一紙面上に並ぶページデータを対にした画像データ、若しくは見開きページ単位のページデータである。
【００３０】
画像出力装置４は、例えば、カラーレーザプリンタ等の電子写真方式プリンタであり、イメージスキャナや、異なるサイズの記録用紙を異なる出力方向（縦置きと横置き）に収納する複数の給紙カセットを備えるマルチファンクションプリンタである。
【００３１】
この画像出力装置４は、出力手段となり、送出された小冊子データを一つの印刷ジョブとして記録用紙上に出力する。作成された印刷物は、小冊子データに基づき小冊子形式の印刷物となる。また、印刷制御装置３は、一つの印刷ジョブが終了すると、作成した印刷物を小冊子データ単位、すなわち区分毎に製本装置５に搬送する。
【００３２】
製本装置５は、中綴じ・中折り製本を行う装置である。この製本装置５は、製本手段となり、画像出力装置４より搬送されてきた印刷物を小冊子データ単位、すなわち区分毎に中折り・中綴じし小冊子化する。
【００３３】
次に、印刷制御装置３の構成及び動作をさらに詳細に説明する。図２は、本実施形態に係る印刷制御装置３の構成図である。図２に示すように、印刷制御装置３は、図示しないＣＰＵ、ＲＡＭ、ＨＤＤで構成される制御部３ａ、マウスやキーボード等のマンマシンインターフェースである入力装置３ｂにより構成されている。
【００３４】
制御部３ａは、画像出力装置４や製本装置５の動作制御を行うほか、ＨＤＤに格納されている印刷制御プログラムをＣＰＵで実行することにより、データ保存部３１、小冊子化部３２、画像処理部３４、及び小冊子単位設定保存部３３を備える。印刷制御プログラムには、小冊子データ作成プログラムが含まれ、印刷制御装置３を、特に小冊子化部３２や小冊子単位設定保存部３３として機能させる。
【００３５】
データ保存部３１は、詳細には、例えばＲＡＭ又はＨＤＤにより構成され、冊子データや小冊子データ等のデータを格納する。このデータ保存部３１に保存されたデータは、適宜小冊子化部３２、又は画像処理部３４によって読み出され、また当該データ保存部３１に格納される。クライアント端末２より送出された冊子データは、まずこのデータ保存部３１に格納される。
【００３６】
小冊子化部３２は、例えば、ＣＰＵにより構成され、冊子データから小冊子データを作成する。冊子を小冊子に分割する際の小冊子のページ数は、小冊子単位設定保存部３３に格納されている小冊子単位となるページ数の値に相当する。
【００３７】
画像処理部３４は、例えば、ＣＰＵにより構成され、小冊子データを画像処理して画像出力装置４が出力可能なデータに変換する。画像処理部３４が行う画像処理は、ＲＩＰ処理、網点化処理である。
【００３８】
ＲＩＰ処理は、ページ記述言語で記述された小冊子データを解釈して、当該小冊子データに含まれる紙面データを画像出力装置４の出力解像度に合わせたラスタデータ、すなわち点の集まりであるビットマップのデータに変換するものであり、いわゆるラスタライズである。
【００３９】
網点化処理は、画像出力装置４の出力解像度に合わせてラスタデータで構成される紙面データを網点で再構成する処理であり、特に画像出力装置４が出力強度を可変できる装置の場合には、多値の網点に再構成して、網点データで構成された小冊子データを生成する。
【００４０】
この印刷制御装置３では、データ保存部３１に冊子データが格納されると、小冊子化部３２が小冊子単位設定保存部３３に格納されているページ数の値を参照して冊子データから小冊子データを作成する。
【００４１】
小冊子データに含まれる紙面データは、画像処理部３４により各々ＲＩＰ処理及び網点化処理が施される。画像処理後の小冊子データは、制御部３ａにより、画像出力装置４及び製本装置５の動作を制御する制御命令と共に画像出力装置４に送出される。
【００４２】
小冊子化部３２について図３に基づき更に詳細に説明する。図３は、小冊子部３２の構成図である。図３に示すように、小冊子化部３２は、ページデータ作成手段３２ａと区分手段３２ｂと紙面データ作成手段３２ｃからなる。この区分手段３２ｂと紙面データ作成手段３２ｃにより小冊子データ作成手段が実現される。
【００４３】
ページデータ作成手段３２ａは、冊子データの記述内容を順にページ単位又は見開きページ単位で読み出して、ページ単位、若しくは見開きページ単位のページデータを作成する。作成したページデータには、読み出した順にページ番号を割り当てる。このとき、見開きページに相当するページデータには、見開きを形成する２つの連続したページ番号が割り当てられる。
【００４４】
ページ番号の割当てについては、ページ番号と該当するページデータが保存されたアドレス先とを対にしたページ番号割当てテーブルを作成することによって行い、当該ページ番号割当てテーブルをデータ保存部３１に格納してもよい。
【００４５】
区分手段３２ｂは、分割された複数のページデータを複数のグループに区分する。この区分手段３２ｂにおける区分は、以下の（１）〜（３）に従う。
【００４６】
（１）見開きページ単位のページデータが含まれるグループについては、見開きページのページデータを中心として、前後のページデータ数が同数となるように区分する。換言すると、見開きページ単位のページデータが含まれるグループについては、見開きページ単位のページデータと、当該見開きページ単位のページデータより前のページデータでなる第一のページデータ群と、当該見開きページ単位のページデータより後のページデータでなる第二のページデータ群とを同一区分する。更に、第一のページデータ群のページ数と第二のページデータ群のページ数が同数となるように区分する。
【００４７】
（２）見開きページが含まれない限り、小冊子単位設定保存部３３に格納されている小冊子単位となるページ数の値に相当するページ数単位でページデータを区分する。
【００４８】
（３）上記（１）及び（２）の区分によって、発生する小冊子単位となるページ数の値に相当するページ数に満たない孤立したページデータ群は、４の倍数のページ数になるように上記（１）における前後のページ数を調整し、これら孤立したページデータ群で一つのグループを区分する。
【００４９】
紙面データ作成手段３２ｃは、データ保存部３１から同一区分のページデータを読み出して、これら同一区分のページデータで一小冊子を形成した際に同一紙面上に並ぶページデータを対にして合成することで紙面データを作成し、小冊子データを得る。
【００５０】
小冊子は、中折り・中綴じした際にノンブル順にページが並ぶ。紙面データ作成手段３２ｃは、同一区分において、外側のページデータ同士を順に対にして、対になったページデータを合成して紙面データを作成し、順に記録用紙１枚目表面、１枚目裏面、２枚目表面・・・と、出力される紙面を割り当てていき、これらを一まとめの小冊子データとする。
【００５１】
この際、区分手段３２ｂにより、見開きページのページデータが含まれる区分については、見開きページのページデータを中心に前後のページデータが同数になるように区分されており、見開きページのページデータについては、単独で一つの紙面データとなる。
【００５２】
区分手段３２ｂの動作について図８に基づき更に詳細に説明する。図８に示すように、まず、区分手段３２ｂは、小冊子単位設定保存部３３に格納されている値を読み出す（Ｓ１００）。
【００５３】
次に、未だグループに区分されていない未区分のページデータのうち、読み出した値に相当するページ数分を判断対象として、当該判断対象に複数ページが割り当てられたページデータ、すなわち見開きページのページデータが含まれるか否かを判断する（Ｓ１０１）。
【００５４】
初回の判断については、未区分のページデータは、１ページ目から読み出した値に相当するページ番号を有するページデータまでとなる。判断については、データ保存部３１に格納されたページ番号割当てテーブルを参照して、複数ページが割り当てられたアドレス先が存在するか否かを検索しても良い。
【００５５】
判断対象に見開きページのページデータがない場合は（Ｓ１０１，Ｎｏ）、判断対象となったページデータを同一区分とする（Ｓ１０２）。この区分は、区分されたページデータを一つのジョブで括ることによってなされる。
【００５６】
判断対象に見開きページのページデータが存在する場合は（Ｓ１０１，Ｙｅｓ）、判断対象となっているページデータのうち、見開きページのページデータより前のページデータのページ数を算出する（Ｓ１０３）。更に、算出されたページ数を見開きページのページデータに割り当てられたページ番号のうち、大きい方のページ番号に加えた値を算出する（Ｓ１０４）。
【００５７】
この動作は、見開きページのページデータを中心に前後で同数のページ数のページデータで同一区分として区分するために、その範囲を暫定するものである。
【００５８】
次に、見開きページのページデータから、算出した値に相当するページ番号が割り当てられたページデータまでに、新たな見開きページのページデータが存在するか否かを判断する（Ｓ１０５）。
【００５９】
判断については、Ｓ１０１で行われた判断と同様に行ってよい。この動作は、Ｓ１０３で暫定した区分の範囲を小冊子化した場合、区分の範囲に存在する見開きページのページデータに対応する画像が、中折り・中綴じした際に小冊子の最内側に位置して分割されることなく同一紙面に出力されるか否かを判断するものである。
【００６０】
新たな見開きページのページデータが存在する場合（Ｓ１０５，Ｙｅｓ）、判断対象のうち、最小ページ番号から４ページ目までのページデータを判断対象から除外して新たに判断対象の範囲を画定し（Ｓ１０６）、Ｓ１０３からＳ１０５までの動作を、新たな見開きページのページデータが判断対象に含まれなくなるまで繰り返す。
【００６１】
この動作において、４の倍数ずつページデータを判断対象から除外することによって、除外されたページデータが４の倍数のまとまりとなり、これら除外したページデータを一つのまとまりとした区分において、小冊子化を可能となる。
【００６２】
新たな見開きページのページデータが存在せず（Ｓ１０５，Ｎｏ）、判断対象から除外したページデータはない場合（Ｓ１０７，Ｎｏ）、判断対象となっているページデータ、すなわち未区分のページデータのうち、最小ページ番号を有するページデータから、見開きページのページデータを含み、Ｓ１０４で算出した値に相当するページ番号を有するページデータまでを同一区分とする（Ｓ１０８）。この区分もＳ１０２と同様に一つのジョブにまとめることによりなされる。
【００６３】
新たな見開きページのページデータが存在せず（Ｓ１０５，Ｎｏ）、判断対象から除外したページデータがある場合（Ｓ１０７，Ｙｅｓ）、除外したページデータを同一区分として区分する（Ｓ１０９）。更に、判断対象となっているページデータ、すなわち未区分のページデータのうち、除外したページデータを除く、最小ページ番号を有するページデータから、見開きページのページデータを含み、Ｓ１０４で最終的に算出した値に相当するページ番号を有するページデータまでを同一区分とする（Ｓ１１０）。
【００６４】
Ｓ１０２、Ｓ１０８、Ｓ１１０の区分が終了すると、ページデータ作成手段３２ａにより作成したページデータにおいて、未区分のページデータが存在するか否かを判断する（Ｓ１１１）。
【００６５】
未区分のページデータが存在する場合は（Ｓ１１１，Ｙｅｓ）、Ｓ１０１に戻ってＳ１０１乃至Ｓ１１０を繰り返し、未区分のページデータが存在しない場合は（Ｓ１１１，Ｎｏ）、区分手段３２ｂによる区分を終了する。
【００６６】
尚、未区分のページデータのページ数が小冊子単位設定保存部３３に格納された値に満たない場合は、それらページデータで同一区分とし、区分を終了すればよい。
【００６７】
このような小冊子化部３２によって作成される小冊子データを図４乃至図６に順を追って示す。図４は、ページデータ作成手段３２ａによる、冊子データに基づくページデータの作成を示す図である。図５は、区分手段による、ページデータの区分の一例を示す図である。図６は、紙面データ作成手段３２ｃによる、区分したページデータを同一区分で一小冊子を作成するように紙面データ化して小冊子データを得ることを示す図である。
【００６８】
図４に示すように、冊子データは、例えば、４８ページ分の文字データや図形データの配置規定が記述されている。又、３番目に読み出したデータと３１番目に読み出したデータと３８番目に読み出したデータは、見開きページ単位で記述されている。
【００６９】
ページデータ作成手段３２ａは、冊子データからページ単位又は見開きページ単位で文字データや図形データを配置規定と共に読み出して、３つの見開きページのページデータを含めた４５個のページデータを作成し、順次ページ番号を割り当てていく。
【００７０】
図５に示すように、例えば、小冊子単位設定保存部３３には、「１６」という値が格納されている。区分手段３２ｂは、未区分のページデータとして、まず１ページ目から１６ページ目のページデータが判断対象となる。
【００７１】
４，５ページが割り付けられた見開きページのページデータが存在するので、判断対象となっているページデータのうち、当該見開きページのページデータの前のページデータのページ数「３」を見開きページのページデータに割り付けられた「５」に加算し「８」を得る。８ページ目までのページデータに他の見開きページのページデータが存在しないので、１ページ目から８ページ目までのページデータが同一区分となる。
【００７２】
この区分においては、４，５ページが割り当てられた見開きページのページデータを中心として、前後に３ページずつ同数のページデータが同一区分となる。
【００７３】
次の未区分のページデータとして、９ページ目から２４ページ目が判断対象となるが、この判断対象に見開きページのページデータが存在しないので、当該判断対象で同一区分となる。
【００７４】
次の未区分のページデータとして、２５ページ目から４０ページ目が判断対象となる。判断対象中に３２，３３ページが割り付けられた見開きページのページデータが存在ので、当該見開きページのページデータの前のページデータのページ数「７」を「３３」に加算して「４０」を得る。
【００７５】
４０ページ目までのページデータには、４０，４１ページが割り付けられた見開きページのページデータが存在するため、未区分のページデータのうち、最初の４ページ目までのページデータを除外する。
【００７６】
３６ページ目までに新たな見開きページのページデータが存在しないため、除外したページデータである２５ページから２８ページが割り付けられたページデータを同一区分とし、２９ページから３６ページまでのページデータが、３２，３３ページが割り付けられた見開きページのページデータを中心として、前後に３ページずつのページデータを含んで同一区分となる。
【００７７】
次の未区分ページデータとして、３７ページから４８ページ目が判断対象となり、４０，４１ページが割り付けられた見開きのページデータが存在するため、３６ページから４４ページ目までのページデータが同一区分となる。
【００７８】
次の未区分ページデータとして、４５ページから４８ページ目が判断対象となるが、見開きページのページデータが存在しないため、これら判断対象で同一区分となる。
【００７９】
図６に示すように、紙面データ作成手段３２ｃによって各区分のジョブがデータ保存部３１から読み出される。小冊子データ１.ｄａｔ、小冊子データ４．ｄａｔ、小冊子データ５．ｄａｔについては、見開きページのページデータを中心に前後に同数のページデータを含むため、同一区分で中折り・中綴じして小冊子化した場合に、同一紙面に並ぶページデータを対にして紙面データを作成して小冊子データを得ると、当該小冊子データおいて、見開きページのページデータが、単独の紙面データとなり、かつ小冊子の最内側の紙面に出力される紙面データとなる。
【００８０】
このような印刷制御装置３の動作を図９に基づき小冊子データが作成される動作を中心に詳細に説明する。図９は、印刷制御装置３の動作を示すフローチャート図である。印刷制御装置３において、画像制御プログラムをＲＡＭ上に展開して、ＣＰＵが画像制御プログラムに沿って演算処理を行うことにより動作する。
【００８１】
まず、クライアント端末２により冊子データが作成され、作成された冊子データがネットワークを介して印刷制御装置３に送出されると、送出された冊子データは、データ保存部３１に格納される（Ｓ１００）。
【００８２】
次に、小冊子化部３２において、ページデータ作成手段３２ａが冊子データからページ毎の記述を読み出し（Ｓ１０１）、文字データや図形データの配置規定に従い、図４に示すようにページ単位のページデータを作成する（Ｓ１０２）。
【００８３】
ページデータが作成されると、当該ページデータは、データ保存部３１に格納される。次に、区分手段３２ｂにより図５に示すようにページデータが区分される（Ｓ１０３）。Ｓ１０３における区分は、図８に示すルーチンに従うものであり、詳細な説明を省略する。
【００８４】
ページデータが区分されると、紙面データ作成手段３２ｃは、データ保存部３１より同一区分のページデータを区分毎に読み出す（Ｓ１０４）。ページデータを読み出すと、図６に示すように区分されたページデータ単位で一つの小冊子となるようにページデータを面付けして紙面毎の紙面データで構成された小冊子データを得る（Ｓ１０５）。この小冊子データは、区分手段３２ｂの区分により見開きページが同一紙面に配置される。
【００８５】
小冊子データを得ると、処理は画像処理部３３に渡される。画像処理部３３は、作成された小冊子データに含まれる各紙面データに画像出力装置４の出力解像度に合わせたＲＩＰ処理を施し（Ｓ１０６）、ＲＩＰ処理されたデータ列に対して順次網点化処理を施す（Ｓ１０７）。
【００８６】
このＳ１０４〜Ｓ１０７までの処理を区分数に応じて、すなわち同一冊子データに基づく全小冊子データに対して行い（Ｓ１０８，Ｎｏ）、１小冊子データずつ画像出力装置４へ送出し、小冊子データを印刷する（Ｓ１０９）。この際、制御部３ａによって画像出力装置４に対して小冊子データ毎の出力紙面数や給紙トレイ等を規定した制御命令を小冊子データ毎に送出する。
【００８７】
次に、このような印刷制御装置３を備える印刷システム１の動作について図１０に基づき説明する。図１０は、印刷システムの動作を示すフローチャート図である。
【００８８】
まず、クライアント端末２によって冊子データが編集されると（Ｓ２００）、編集された冊子データが印刷制御装置３へ送出される（Ｓ２０１）。
【００８９】
印刷制御装置３では、データ保存部３１に冊子データが保存され、小冊子化部３２により小冊子データが得られる（Ｓ２０２）。更に、小冊子データに含まれる紙面データにＲＩＰ処理及び網点化処理が施される。
【００９０】
画像処理を経た小冊子データは、制御部３ａによって画像出力装置４及び製本装置５を制御する制御命令と共に画像出力装置４へ送出される（Ｓ２０３）。画像出力装置４は、制御命令に従って１小冊子データずつ印刷物を作成し（Ｓ２０４）、１小冊子データに基づく印刷物毎に製本装置５を搬送する（Ｓ２０５）。
【００９１】
製本装置５は、制御命令に従って、同一小冊子データに属する印刷物を中折り・中綴じし、図７に示すような小冊子を作成する。図７は、製本装置５により作成された小冊子を示す。
【００９２】
図７の（ａ）に示すように、冊子全ページを含む冊子データであっても、印刷制御装置３にて小冊子に相当するページ数に区分し、同一区分にて１冊子が形成される小冊子データを作成することで、小冊子を得ることができる。小冊子において、最内側のページには見開きページが位置することとなる。すなわち、見開きページは、異なる紙面に分割されることなく、単一の紙面上に出力することができ、品位の向上を図ることができる。
【００９３】
小冊子の作成は、印刷制御装置３により作成された小冊子データの数、すなわち区分された数だけ繰り返され、順次製本装置５にて中折り・中綴じされていく。図７の（ｂ）に示すように冊子全ページを含む冊子データであっても小冊子に区分して印刷することができ、冊子データに基づき作成された冊子ののどと小口とで厚さが均一になり、さらにのど幅をそろえることができる。
【００９４】
尚、本実施形態においては、印刷制御プログラムをＨＤＤ内に記憶させるようにした。この他にも印刷制御装置３が読み取り可能な記憶媒体に記憶させることもできる。例えば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）に記憶されているようにしてもよい。
【００９５】
また、本実施形態において印刷制御装置３は、印刷制御プログラムや当該プログラムに含まれる小冊子データ作成プログラムを実行することで上述の機能を備えるようにしたが、これらプログラムに代えて専用回路を備えることで上述の機能を備えるようにしてもよい。
【図面の簡単な説明】
【００９６】
【図１】本発明の実施形態に係る印刷システムの構成を示す構成図である。
【図２】本実施形態に係る印刷制御装置の構成図である。
【図３】小冊子データ分割部の構成図である。
【図４】冊子データのページデータへの分割を示す図である。
【図５】ページデータを区分けすることを示す図である。
【図６】区分したページデータを同一区分において小冊子データに再構成することを示す図である。
【図７】本実施形態に係る印刷システムによって作成される小冊子と、小冊子をまとめることで作成される冊子を説明する図である。
【図８】本実施形態に係る冊子データを小冊子単位に区分する動作を示すフローチャート図である。
【図９】本実施形態に係る印刷制御装置の動作を示すフローチャート図である。
【図１０】本実施形態に係る印刷システムの動作を示すフローチャート図である。
【符号の説明】
【００９７】
１    印刷システム
２    クライアント端末
３    印刷制御装置
３ａ  制御部
３ｂ  入力装置
３１  データ保存部
３２  小冊子化部
３２ａ  ページデータ作成手段
３２ｂ  区分手段
３２ｃ  紙面データ作成手段
３３  小冊子単位設定保存部
３４  画像処理部
４    画像出力装置
５    製本装置
【図１】
2006205642.tif 000003
【図２】
2006205642.tif 000004
【図３】
2006205642.tif 000005
【図４】
2006205642.tif 000006
【図５】
2006205642.tif 000007
【図６】
2006205642.tif 000008
【図７】
2006205642.tif 000009
【図８】
2006205642.tif 000010
【図９】
2006205642.tif 000011
【図１０】
2006205642.tif 000012